(57)【要約】【課題】    簡単・容易に、かつ、電波干渉の発生状況を上位系で把握できるようにする。【解決手段】    複数の移動車両に搭載された移動局と、前記移動局と通話する指令ユニットと、前記移動局と前記指令ユニットとの通信を中継する所定の通信エリアを持つ複数の基地局と、を備え、前記基地局が、前記移動局からの通信を受信した際に前記指令ユニットに受信した旨を前記指令ユニットに通知する着信通知を出力し、前記指令ユニットが、前記着信通知を受信した際の時刻を示す着信時間毎に、特定の前記移動局と通信するために選択された基地局を示す選択基地局及び、前記基地局が前記特定の移動局からの通信を受信したことを示す着信状況情報を含む着信情報を作成し、該着信情報に基づき電波干渉の状況を示す干渉情報を作成して出力する。【選択図】    図１
2015095751.tif 000002
【特許請求の範囲】
【請求項１】
複数の移動車両に搭載された移動局と、
前記移動局と通話する指令ユニットと、
前記移動局と前記指令ユニットとの通信を中継する所定の通信エリアを持つ複数の基地局と、を備え、
前記基地局が、前記移動局からの通信を受信した際に前記指令ユニットに受信した旨を前記指令ユニットに通知する着信通知を出力し、
前記指令ユニットが、前記着信通知を受信した際の時刻を示す着信時間毎に、特定の前記移動局と通信するために選択された基地局を示す選択基地局及び、前記基地局が前記特定の移動局からの通信を受信したことを示す着信状況情報を含む着信情報を作成し、該着信情報に基づき電波干渉の状況を示す干渉情報を作成して出力する、ことを特徴とする無線ネットワークシステム。
【請求項２】
請求項１に記載の無線ネットワークシステムであって、
前記指令ユニットは、
前記移動局と通信する複数の指令部を含む指令装置と、
前記指令部からの通信に含まれる前記選択基地局との通信回線を制御する回線制御部及び前記着信情報に基づき前記干渉情報を作成して前記指令部に出力する干渉情報処理部を含む回線制御装置と、を備え、
前記指令部は、前記干渉情報処理部に前記干渉情報の作成を要求する干渉情報作成指令を出力し、当該干渉情報作成指令に基づき前記干渉情報を作成することを特徴とする無線ネットワークシステム。
【請求項３】
請求項２に記載の無線ネットワークシステムであって、
前記干渉情報作成指令には、前記干渉情報を作成する際に用いる前記着信情報の受信時間帯を示す着信通知受信時間が含まれることを特徴とする無線ネットワークシステム。
【請求項４】
基地局を介して、移動局と指令ユニットとが通話する際の干渉情報を作成する干渉情報作成方法であって、
前記基地局が前記移動局からの通信を受信したことを前記指令ユニットに通知する着信通知手順と、
前記指令ユニットに前記着信通知を受信した際の時刻を示す着信時間毎に、特定の前記移動局と通信するために選択された基地局を示す選択基地局及び、前記基地局が前記特定の移動局からの通信を受信したことを示す着信状況情報を含む着信情報を作成させる着信情報作成手順と、
前記着信情報に基づき電波干渉の状況を示す干渉情報を作成する干渉情報作成手順と、を含むことを特徴とする干渉情報作成方法。
【請求項５】
請求項４に記載の干渉情報作成方法であって、
前記干渉情報を作成する際に、前記着信情報の受信時間帯を示す着信通知受信時間を支持する手順を含むことを特徴とする干渉情報作成方法。
【発明の詳細な説明】
【技術分野】
【０００１】
本発明は、無線ネットワークシステム、及び、干渉情報作成方法に関する。
【背景技術】
【０００２】
火災現場等の緊急現場に移動車両で急行し、現場作業を行う作業員と、消防署等の指令局で作業する作業者とが通信を行いながら、状況報告や作業指令を交換することが行われている。このとき、指令局の管轄エリアが広いために、複数の基地局を設けて、現場が通信エリアに含まれる基地局を選択して通信する。
【０００３】
このとき、各基地局の通信エリアが重なる領域が発生する。この重なったエリアに移動車両が位置すると、当該移動車両からの信号が複数の基地局で受信されたり、あるいは１つの基地局からの信号が複数の移動車両で受信されたりする電波障害（電波干渉）が起きることがある。
【０００４】
かかる電波干渉と類似した問題に対する提案として、特開２００５−１４２８９３号公報がある。この提案では、無線ステーションが複数の無線アクセスポイントから送出されるビーコン信号を受信することによって、当該無線ステーションは、無線アクセスポイントに設定されているＥＳＳＩＤ（Ｅｘｔｅｎｄｅｄ  Ｓｅｒｖｉｃｅ  Ｓｅｔ  ＩＤｅｎｔｉｆｉｅｒ）情報、使用チャネル情報、暗号化の有無情報、サポートする通信速度情報を取得する。そして、無線ステーションは、使用チャネル情報に基づいて、無線アクセスポイント同士の電波干渉を類推するものである。
【先行技術文献】
【特許文献】
【０００５】
【特許文献１】特開２００５−１４２８９３号公報
【発明の概要】
【発明が解決しようとする課題】
【０００６】
しかしながら、上記特開２００５−１４２８９３号公報に係る構成では、基地局がビーコン信号を常時又は定期的に出力することにより、移動局がビーコン信号を受信し電波干渉を類推して、場所移動等の対応を行うため以下のような問題があった。
【０００７】
即ち、特開２００５−１４２８９３号公報における無線アクセスポイントは基地局、無線ステーションは移動車両に相当する。従って、移動車両（又は乗車している作業者）が電波干渉に応じた対応をしなければならないことになる。しかし、移動車両は、火災現場等の緊急現場に急行し、また作業している移動車両の作業者が、電波干渉を判断するための情報収集し、推測された電波干渉に応じた対応を行うことは、作業負荷の増大による本来の消化活動に支障を来す恐れがある。
【０００８】
そこで、本発明の主目的は、簡単・容易に、かつ、電波干渉の発生状況を上位系で把握できるようにして現場作業員の負荷軽減及び正確な通信（情報交換）が行えるようにした無線ネットワークシステム、及び、干渉情報作成方法を提供することである。
【課題を解決するための手段】
【０００９】
上記課題を解決するため、無線ネットワークシステムに係る発明は、複数の移動車両に搭載された移動局と、移動局と通話する指令ユニットと、移動局と指令ユニットとの通信を中継する所定の通信エリアを持つ複数の基地局と、を備え、基地局が、移動局からの通信を受信した際に指令ユニットに受信した旨を指令ユニットに通知する着信通知を出力し、指令ユニットが、着信通知を受信した際の時刻を示す着信時間毎に、特定の移動局と通信するために選択された基地局を示す選択基地局及び、基地局が特定の移動局からの通信を受信したことを示す着信状況情報を含む着信情報を作成し、該着信情報に基づき電波干渉の状況を示す干渉情報を作成して出力することを特徴とする。
【００１０】
また、基地局を介して、移動局と指令ユニットとが通話する際の電波干渉情報を作成する干渉情報作成方法に係る発明は、基地局が移動局からの通信を受信したことを指令ユニットに通知する着信通知手順と、指令ユニットが、着信通知を受信した際の時刻を示す着信時間毎に、特定の移動局と通信するために選択された基地局を示す選択基地局及び、基地局が特定の移動局からの通信を受信したことを示す着信状況情報を含む着信情報を作成する着信情報作成手順と、着信情報に基づき電波干渉の状況を示す干渉情報を作成する干渉情報作成手順と、を含むことを特徴とする。
【発明の効果】
【００１１】
本発明によれば、上位系で簡単・容易に、かつ、電波干渉の発生状況が把握できるようにしたので、現場作業員の負荷軽減を図りながら正確な情報交換が行えるようになる。
【図面の簡単な説明】
【００１２】
【図１】本発明の実施形態における緊急無線システムのブロック図である。
【図２】干渉情報処理部のブロック図である。
【図３】着信情報を例示した図である。
【図４】干渉情報を例示した図である。
【図５】干渉状況画面を例示した図である。
【図６】着信情報作成手順を示すフローチャートである。
【図７】着信情報作成手順におけるシーケンスを示した図である。
【図８】干渉情報作成・出力処理を示すフローチャートである。
【発明を実施するための形態】
【００１３】
本発明の実施形態を説明する。図１は、本発明に係る緊急無線システム２のブロック図である。当該緊急無線システム２は、指令ユニット４、第１〜第６基地局６（６ａ〜６ｆ）、第１〜第２移動局８（８ａ，８ｂ）を備える。
【００１４】
指令ユニット４は、回線制御装置１１と指令装置１２とを含んでいる。また、回線制御装置１１は回線制御部１１ａ及び干渉情報処理部１１ｂを備え、指令装置１２は第１指令部１２ａ及び第２指令部１２ｂを備える。そして、指令ユニット４と第１〜第２移動局８（８ａ，８ｂ）との間で基地局６を介した通信が行なわれる。
【００１５】
なお、図１においては、指令装置１２として第１指令部１２ａ及び第２指令部１２ｂ、基地局６として第１基地局６ａ〜第６基地局６ｆ、移動局８として第１移動局８ａ及び第２移動局８ｂが示されているが、これらの数は例示であることを予め付言する。また、以下の説明において、例えば第１指令部１２ａ及び第２指令部１２ｂの共通構成について言及するときは、指令装置１２にように総称名称及び総称番号を用いることにする。
【００１６】
基地局６と回線制御装置１１とは図示しない有線で接続されている。各基地局６は、それぞれ固有の通信エリアＫ（Ｋ１〜Ｋ６）を持ち、この通信エリアＫ内の移動局８（８ａ，８ｂ）と指令ユニット４との通信を中継する。このとき、基地局６は移動局８が発した電波を受信したことを示す着信通知を回線制御部１１ａに出力する。
【００１７】
着信通知は、移動局８からの電波を受信したことを示す情報であるので、基地局６の通信エリアＫが重なっている場所に位置する移動局８からの電波は、この重なっている通信エリア領域を構成する複数の基地局６で受信されることになる。即ち、複数の基地局から着信通知が出力されることになる。例えば、図１に例示するように、第１基地局６ａと第２基地局６ｂとの重なった通信エリア領域に第２移動局８ｂが位置していると、第１基地局６ａと第２基地局６ｂから第２移動局８ｂの信号を受信したことを示す着信通知が出力されることになる。
【００１８】
移動局８は、消防車や救急車等の移動車両に搭載されて、当該移動車両と共に移動する。このとき、移動車両は複数の基地局６の通信エリアＫを通過しながら現場に急行する。
【００１９】
指令装置１２は、第１指令部１２ａ及び第２指令部１２ｂを含んでいる。そして、各指令部１２ａ，１２ｂは、回線制御装置１１及び基地局６を介して移動局８と通信を行う。このとき、指令装置１２における指令者に電波干渉に対する注意喚起を促すための干渉情報表示機能が指令装置１２に設けられている。なお、第１指令部１２ａや第２指令部１２ｂは、同じ構成である。
【００２０】
上述したように、回線制御装置１１は、回線制御部１１ａ及び干渉情報処理部１１ｂを備える。そして、回線制御部１１ａは、基地局６と有線の通信回線により接続されて、指令装置１２から移動局８への通信時（下り通信時）には宛先情報に基づき、適切な基地局６を選択して、指令装置１２と移動局８とが通信できるように回線制御を行う。また、移動局８から指令装置１２への通信時（上り通信時）には、宛先情報に基づき第１指令部１２ａ又は第２指令部１２ｂを選択して通信が行えるように回線制御を行う。
【００２１】
干渉情報処理部１１ｂは、上り通信時において各基地局６からの着信通知を受信し、当該着信通知に基づき着信情報を作成する。そして、この着信情報に基づき干渉情報を作成して、指令装置１２からの要求に応じて出力する。
【００２２】
図２は、干渉情報処理部１１ｂのブロック図である。この干渉情報処理部１１ｂは、着信情報作成部２１、着信情報記憶部２２、干渉情報作成部２３、干渉情報記憶部２４、干渉情報出力部２５を備える。
【００２３】
着信情報作成部２１は、各基地局６から送られてきた着信通知を受信して、図３に示すような、着信テーブル（着信情報）を作成する。図３では、着信通知を受信した時間（着信時間）欄Ｔ１、移動局８との通信のために現在選択されている基地局（選択基地局）を示す選択基地局欄Ｔ２、着信情報を出力した基地局６を「１」「０」のフラグ（着信状況情報）で示す着信状況欄Ｔ３により構成されている。なお、フラグ「１」は、該当する基地局６から受信通知を受信したことを示し、「０」のフラグは受信通知を受信していないことを示している。
【００２４】
図３からは、選択された第１基地局６ａを介して指令装置１２がある移動局８と通信している際に、時刻ｈ１：ｍ１：ｓ１においては第１基地局６ａからのみ着信通知が受信されたが、時刻ｈ２：ｍ２：ｓ２においては第１基地局６ａと第４基地局６ｄから着信通知が受信され、さらに時刻ｈ３：ｍ３：ｓ３においては第１基地局６ａ、第４基地局６ｄ、第５基地局６ｅから着信通知が受信されたことが読み取れる。そして、このように作成された着信情報は、着信情報記憶部２２に記憶される。
【００２５】
干渉情報作成部２３は、指令装置１２から干渉情報作成指令を受け付ける。この干渉情報作成指令は、指令装置１２の指令者等が要求する。干渉情報作成指令を受け付けた干渉情報作成部２３は、所定の着信通知受信時間の間に受信された着信通知の着信情報を着信情報記憶部２２から検索する。そして、検索により得られた着信情報に基づき干渉情報が作成されて、干渉情報記憶部２４に出力される。なお、着信通知受信時間は、着信通知を検出する際の時間帯を示す。即ち、現在時刻から予め設定された着信通知受信時間前の間に含まれる着信時間の着信通知を検出する際の検出範囲として用いられる。
【００２６】
図４は、このような干渉情報を例示した図である。干渉情報は、指令装置１２から選択されている基地局６を示す選択基地局欄Ｔ２１、そのときの着信通知を出力した基地局を記載した電波干渉状況欄Ｔ２２を含んでいる。例えば、第１基地局６ａが選択されている場合、電波干渉状況欄Ｔ２１には第４基地局６ｄ、第５基地局６ｅが記載されている。このことは、第１基地局６ａを介して通信している移動局８が、第１基地局６ａ、第４基地局６ｄ、第５基地局６ｅの通信エリアＫに居ることを示している。即ち、第１基地局６ａ、第４基地局６ｄ、第５基地局６ｅの間で電波干渉が起きる恐れがあることを示している。
【００２７】
干渉情報出力部２５は、指令装置１２からの干渉情報要求を受けると、干渉情報記憶部２４から該当する干渉情報を検索して出力する。このときの干渉情報の検索は、干渉情報要求に含まれる選択基地局６をキーワードとして行う。
【００２８】
図５は、干渉情報出力部２５から出力されて第１指令部１２ａや第２指令部１２ｂに出力された干渉情報を例示した干渉状況画面である。斜めハッチは干渉が起きる恐れのある基地局を示し、クロスハッチは選択基地局を示している。そして、ハッチングなしは、干渉が起きていない（選択されていない）基地局を示している。なお、図５においてはハッチングで干渉状態等を示したが、色分けやブリンク等の強調表示を行わせることも可能である。
【００２９】
次に、このような緊急無線システム２における着信情報作成手順等を説明する。図６は、着信情報作成手順を示すフローチャートである。なお、説明の都合から、図１に示すように、選択基地局６が第１基地局６ａで、位置Ｐ１→位置Ｐ２→位置Ｐ３に移動している第１移動局８ａと第１指令部１２ａとの間で通信を行う場合を説明する。また、図７は、着信情報作成手順におけるシーケンスを示した図である。図７において、点線矢印は通話経路を示し、実線矢印は着信通知の経路を示している。また、●印は、該当する基地局６で通話が受信されたことを示している。
【００３０】
ステップＳＡ１〜ＳＡ４：  第１移動局８ａが、図１に示す位置Ｐ１で指令装置１２に対して音声通信を行うと、図７に示すように、第１基地局６ａが、これを受信し、回線制御装置１１を介して第１指令部１２ａに音声を送信すると共に、回線制御装置１１に第１基地局６ａでからの通信であることを示す受信通知を送信する。
【００３１】
このとき、干渉情報処理部１１ｂの着信情報作成部２１は、この着信通知の受信待ちとなっている。この状態で、着信通知を受信すると、着信情報作成部２１は、内蔵する時計から着信通知を受信した時刻を受信日時として取得すると共に、第１指令部１２ａからの宛先情報に含まれている基地局６を選択基地局６として取得する。そして、着信情報作成部２１は、受信日時を取得すると、予め設定された着信通知受信時間を計時する。
【００３２】
ステップＳＡ５〜ＳＡ７：  受信された着信通知及び受信日時は、着信情報作成部２１で一時保存されて、着信通知受信時間の経過が待たれる。着信通知受信時間が経過する前に、新たに着信通知を受信することがある。
【００３３】
このような追加の着信通知は、複数の基地局６の重なる通信エリアＫに、移動局８が移動した場合に生じる。例えば、図１において第１移動局８ａが位置Ｐ１から位置Ｐ２に移動した場合や位置Ｐ３に移動した場合である。第１移動局８ａが位置Ｐ１に位置しているときは、第１移動局８ａは第１基地局６ａの通信エリアＫ１内にのみ位置する。しかし、位置Ｐ２に移動すると、この位置Ｐ２は、第１基地局６ａの通信エリアＫ４と第４基地局６ｄの通信エリアＫ４との重なった位置であるので、第１移動局８ａからの音声信号（信号）は、第１基地局６ａ及び第４基地局６ｄに届く。この結果、図７に示すように位置Ｐ２からの音声を受信したことを示す●印が、第１基地局６ａと第４基地局６ｄとにマークされるようになる。さらに、第１移動局８ａが位置Ｐ３に位置すると、位置Ｐ３は第１基地局６ａ、第４基地局６ｄ、第５基地局６ｅの重なった通信エリアＫの位置であるので、移動局８ａからの音声信号は、第１基地局６ａ、第４基地局６ｄ、第５基地局６ｅで受信されることになる。
【００３４】
先に、基地局６で受信された音声信号は、回線制御装置１１を介して第１指令部１２ａに出力されることを述べた。従って、第１移動局８ａが位置Ｐ２に位置するときは、第１基地局６ａ及び第４基地局６ｄから同じ音声信号が回線制御装置１１に入力することになる。第１基地局６ａ及び第４基地局６ｄからの音声信号が、第１指令部１２ａに出力されると、同じ音声が重なるので聞き難くなってく、誤認識や誤指令の発生要因となる。そこで、回線制御部１１ａは、選択基地局からの音声信号のみを第１指令部１２ａに出力されるように回線制御する。上記例では、選択基地局は第１基地局６ａであるので、第４基地局６ｄからの音声信号が指令装置１２に出力されないように制御する。
【００３５】
このようにして、回線制御装置１１に追加の着信通知が受信されることがある。追加して着信通知が受信されると、処理はステップＳＡ５に戻り、新たに受信した着信通知が一時保存される。着信通知受信時間が経過する間に受信された全ての着信通知は、着信情報として記憶される。
【００３６】
ステップＳＡ８：  着信通知受信時間の経過後に、着信情報作成部２１は、選択基地局６、受信日時、着信通知を送信してきた全ての基地局６の情報から、図３に示したような着信情報を作成する。
【００３７】
次に、干渉情報作成・出力処理を説明する。図８は、この干渉情報作成・出力処理を示すフローチャートである。
【００３８】
なお、干渉情報作成・出力処理の説明において、図１に示すように、第１指令部１２ａが第１基地局６ａを選択して第１移動局８ａと通信しているとき、第２指令部１２ｂが第２基地局６ｂを選択して第２移動局８ｂと通信する場合を例にする。この場合、第１基地局６ａから第１移動局８ａに送信される信号を符号Ｈ１＿ａ、第２基地局６ｂから第２移動局８ｂに送信される信号を符号Ｈ２として示している。
【００３９】
ところが、第１移動局８ａが、第１基地局６ａと第２基地局６ｂとの重なり合った通信エリアＫに位置すると、第１基地局６ａから第１移動局８ａに送信される信号は、第２移動局８ｂにも届く。図１では、この信号を符号Ｈ１＿ｂと記載している。この様な状況においては、第２移動局８ｂには、第１指令部１２ａからの信号と第２指令部１２ｂからの信号とが入力することになり、電波干渉が発生する。
【００４０】
無論、通信エリアＫは決まっているので、電波干渉を防止するためには、周波数の変更や通信方式の変更等を行わなければ電波干渉の発生を防止することができない。しかしながら、第１指令部１２ａ又は第２指令部１２ｂの指令者が、干渉の恐れがあることを知っている場合には、相応の注意や対応が可能になる。例えば、町中で会話するとき、声を大きくしたり、ゆっくり話したりすることがある。これと同様に、指令者は、干渉の恐れがあることを知っていると、声を大きくする等の対応を行い、また指令内容の確認を求めたりして、正確な情報伝達が行えるように心がけることができる。
【００４１】
ステップＳＢ１：  このような対応を可能にするためには、電波干渉がどこで発生しているかを知る必要がある。そこで、指令者は、干渉情報作成指令を第１指令部１２ａ又は第２指令部１２ｂに指示する。このとき、干渉情報作成部２３は、干渉情報作成指令の受信待ちの状態である。
【００４２】
ステップＳＢ２：  干渉情報作成部２３は干渉情報作成指令を受信すると、この干渉情報作成指令から対象期間及び選択基地局の情報を抽出して取得する。ここで、対象期間とは、干渉情報を作成するための着信時間の範囲を言う。例えば、１０：００−１１：００までを対象期間として指定した場合には、この１０：００−１１：００までの間に含まれる着信時間の着信情報を収集して干渉情報を作成するための期間である。なお、対象期間を予め設定しておくことも可能である。例えば、対象期間を１時間と設定し、現在時刻が１１：００であれば、現在時刻より対象期間だけ前の時刻から現在時刻までの着信時間の着信情報を収集して干渉情報を作成するようにしてもよい。
【００４３】
ステップＳＢ３：  次に、干渉情報作成部２３は干渉情報作成指令対象基地局を抽出する。これにより、図３に示す内容の着信情報を検索する条件が整う。
【００４４】
ステップＳＢ４，ＳＢ５：  そこで、干渉情報作成部２３は、着信情報記憶部２２から選択基地局、及び、対象期間をキーワードとして、該当する着信情報を検索する。そして、検索された着信情報に基づき図４に示すような干渉情報を作成し、干渉情報記憶部２４に記憶される。
【００４５】
ステップＳＢ６，ＳＢ７：  その後、干渉情報作成・出力処理は、干渉情報出力要求の待ちとなる。この干渉情報出力要求は、指令者が第１指令部又は第２指令部から干渉情報出力部２５に入力する。そこで、干渉情報出力部２５は干渉情報出力要求を受信すると、干渉情報出力要求に含まれる選択基地局をキーワードとして、干渉情報記憶部に記憶されている干渉情報を取得する。
【００４６】
ステップＳＢ８：  そして、干渉情報出力部２５は取得した干渉情報を要求元の第１指令部又は第２指令部に出力する。第１指令部又は第２指令部は、干渉情報出力部２５から干渉情報を受信すると、この干渉情報に基づき図５に示すような干渉状況画面を表示する。指令者は、この干渉状況画面を見て、基地局の選択や、干渉状態を移動局との的確な通信を行えるようにする。
【００４７】
以上説明したように、移動局からの通信を受信した基地局からの着信通知に基づき、上位系でこの情報を収集し干渉情報を作成するので、現場作業員の作業負荷が軽減できるようになる。
【符号の説明】
【００４８】
２    緊急無線システム
４    指令ユニット
６    基地局
８    移動局
１１    回線制御装置
１１ａ    回線制御部
１１ｂ    干渉情報処理部
１２    指令装置
１２ａ    第１指令部
１２ｂ    第２指令部
２１    着信情報作成部
２２    着信情報記憶部
２３    干渉情報作成部
２４    干渉情報記憶部
２５    干渉情報出力部
【図１】
2015095751.tif 000003
【図２】
2015095751.tif 000004
【図３】
2015095751.tif 000005
【図４】
2015095751.tif 000006
【図５】
2015095751.tif 000007
【図６】
2015095751.tif 000008
【図７】
2015095751.tif 000009
【図８】
2015095751.tif 000010